【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
自身が初期化を実施する要素である複数のレンズ側要素を示すレンズ側初期化実施要素情報を撮像装置に送信するレンズ制御部
を備える交換レンズ。
【請求項２】
前記レンズ側初期化実施要素情報は、前記交換レンズが初期化を実施する複数のレンズ側要素の全てを識別可能な情報である
請求項１に記載の交換レンズ。
【請求項３】
前記レンズ側初期化実施要素情報は、前記交換レンズが初期化を実施する複数のレンズ側要素と、前記撮像装置が前記交換レンズでの初期化の完了を認識する要素であるボディ側要素を示すボディ側初期化認識要素情報が示す複数のボディ側要素とで共通する少なくとも１つの共通要素を識別可能な情報である
請求項１に記載の交換レンズ。
【請求項４】
前記レンズ制御部は、前記交換レンズの初期化の開始を要求する初期化開始コマンドとともに、前記撮像装置が前記交換レンズでの初期化の完了を認識する要素であるボディ側要素を示すボディ側初期化認識要素情報を、前記撮像装置から受信する
請求項１乃至３のいずれかに記載の交換レンズ。
【請求項５】
前記レンズ制御部は、前記複数のレンズ側要素の初期化を開始する前に、前記レンズ側初期化実施要素情報を前記撮像装置に送信する
請求項１乃至４のいずれかに記載の交換レンズ。
【請求項６】
前記レンズ制御部は、前記複数のレンズ側要素の各レンズ側要素に対する初期化が完了する毎に、前記各レンズ側要素の初期化完了を示す初期化完了信号を、前記撮像装置に送信するためのキューバッファに格納する
請求項１乃至５のいずれかに記載の交換レンズ。
【請求項７】
前記複数のレンズ側要素に、絞りと、前記撮像装置が対応していない要素であって、前記撮像装置の露出調整処理に影響を与える非対応露出影響要素とを含む場合、
前記レンズ制御部は、全ての前記非対応露出影響要素と前記絞りの前記初期化の完了に応じたタイミングで、前記絞りの前記初期化完了信号を、前記キューバッファに格納する
請求項６に記載の交換レンズ。
【請求項８】
前記複数のレンズ側要素に、前記撮像装置が対応している対応要素と、前記撮像装置が対応していない非対応要素とを含む場合、
前記レンズ制御部は、初期化が完了していない前記対応要素が２つ以上ある場合には、初期化が完了していない前記非対応要素の有無にかかわらず、初期化が完了していない2つ以上の前記対応要素のうちの１つの対応要素の初期化の完了に応じたタイミングで、初期化が完了した前記１つの対応要素の前記初期化完了信号を前記キューバッファに格納する
請求項６または７に記載の交換レンズ。
【請求項９】
前記複数のレンズ側要素に、前記撮像装置が対応していない要素であって、前記撮像装置の露出調整処理に影響を与える非対応露出影響要素と、前記撮像装置が対応している要素であって、前記撮像装置の露出調整処理に影響を与える対応露出影響要素とを含む場合、
前記レンズ制御部は、前記初期化完了信号をまだ送信していない前記対応露出影響要素が最後の１つとなった場合、全ての前記非対応露出影響要素の初期化が完了した時点で、前記撮像装置が対応している最後の前記対応露出影響要素の前記初期化完了信号を前記キューバッファに格納する
請求項６乃至８のいずれかに記載の交換レンズ。
【請求項１０】
前記複数のレンズ側要素に、前記撮像装置の露出調整処理に影響を与えない露出非影響要素であって前記撮像装置が対応している少なくとも１つの対応露出非影響要素と、前記露出非影響要素であって前記撮像装置が対応していない少なくとも１つの非対応露出非影響要素とを含む場合、
前記レンズ制御部は、前記対応露出非影響要素の全ての初期化が完了したタイミングで初期化が完了していない前記非対応露出非影響要素が残っている際は、全ての前記非対応露出非影響要素の初期化の完了を待って、最後に初期化が完了した前記対応露出非影響要素の前記初期化完了信号を前記キューバッファに格納する
請求項６乃至９のいずれかに記載の交換レンズ。
【請求項１１】
前記レンズ制御部は、前記初期化完了信号を、非同期通信で前記撮像装置に送信する
請求項６乃至１０のいずれかに記載の交換レンズ。
【請求項１２】
前記レンズ制御部は、
前記レンズ側要素のうち、前記撮像装置が対応しておらず、前記撮像装置の露出調整処理に影響を与える非対応露出影響要素と、前記撮像装置が対応しておらず、前記撮像装置の露出調整処理に影響を与えない非対応露出非影響要素とに対して、排他的に初期化処理を実行する
請求項１乃至１１のいずれかに記載の交換レンズ。
【請求項１３】
前記複数のレンズ側要素は、前記撮像装置の露出調整処理に影響を与える露出影響要素と、前記露出調整処理に影響を与えない露出非影響要素とを含み、
前記レンズ制御部は、前記露出影響要素と前記露出非影響要素に対して、互いに異なる方式で初期化処理を実行する
請求項１乃至１２のいずれかに記載の交換レンズ。
【請求項１４】
前記前記複数のレンズ側要素は、前記撮像装置が対応している対応要素と、前記撮像装置が対応していない非対応要素とを含み、
前記レンズ制御部は、前記対応要素と前記非対応要素に対して、互いに異なる方式で初期化処理を実行する
請求項１乃至１２のいずれかに記載の交換レンズ。
【請求項１５】
前記異なる方式とは、初期化が完了した要素について、前記撮像装置に送信するためのキューバッファに格納するタイミングが異なることである
請求項１３または１４に記載の交換レンズ。
【請求項１６】
前記レンズ制御部は、前記レンズ側初期化実施要素情報を、非同期通信で前記撮像装置に送信する
請求項１乃至１５のいずれかに記載の交換レンズ。
【請求項１７】
自身が初期化完了信号を認識する要素であるボディ側要素を示すボディ側初期化認識要素情報を交換レンズに送信し、前記交換レンズから受信したレンズ側初期化実施要素情報に応じて、複数のレンズ側要素に対応する少なくとも１つの前記初期化完了信号を認識するボディ制御部
を備える撮像装置。
【請求項１８】
前記レンズ側初期化実施要素情報は、前記交換レンズが初期化を実施する複数のレンズ側要素と、前記ボディ側初期化認識要素情報が示す複数のボディ側要素とで共通する少なくとも１つの共通要素を識別可能な情報である
請求項１７に記載の撮像装置。
【請求項１９】
前記ボディ制御部は、前記レンズ側初期化実施要素情報が示す前記共通要素の全てに対する前記初期化完了信号を受信したことをもって、前記交換レンズ側での初期化が完了したと判断する
請求項１８に記載の撮像装置。
【請求項２０】
前記レンズ側初期化実施要素情報は、前記交換レンズが初期化を実施する複数のレンズ側要素の全てを識別可能な情報である
請求項１７に記載の撮像装置。
【請求項２１】
前記ボディ制御部は、前記ボディ側初期化認識要素情報が示す複数のボディ側要素と、前記レンズ側初期化実施要素情報が示す前記複数のレンズ側要素とで共通する共通要素の全てに対する前記初期化完了信号を受信したことをもって、前記交換レンズ側での初期化が完了したと判断する
請求項２０に記載の撮像装置。
【請求項２２】
前記ボディ制御部は、初期化の開始を要求する初期化開始コマンドとともに、前記ボディ側初期化認識要素情報を、前記交換レンズに送信する
請求項１７乃至２１のいずれかに記載の撮像装置。
【請求項２３】
前記ボディ制御部は、露出調整処理に影響を与える全ての要素の前記初期化完了信号を受信したことに応じて、初期化として露出調整処理を開始する
請求項１７乃至２２のいずれかに記載の撮像装置。
【請求項２４】
交換レンズと撮像装置とからなり、
前記交換レンズは、
前記交換レンズが初期化を実施する要素である複数のレンズ側要素を示すレンズ側初期化実施要素情報を前記撮像装置に送信するレンズ制御部を備え、
前記撮像装置は、
前記撮像装置が初期化完了信号を認識する要素であるボディ側要素に対応するボディ側初期化認識要素情報を前記交換レンズに送信し、前記交換レンズから受信した前記レンズ側初期化実施要素情報に応じて、前記複数のレンズ側要素に対応する少なくとも１つの前記初期化完了信号を認識するボディ制御部と
を備える
カメラシステム。
【手続補正２】
【補正対象書類名】明細書
【補正対象項目名】０００７
【補正方法】変更
【補正の内容】
【０００７】
本技術の第１の側面の交換レンズは、自身が初期化を実施する要素である複数のレンズ側要素を示すレンズ側初期化実施要素情報を撮像装置に送信するレンズ制御部を備える。
【手続補正３】
【補正対象書類名】明細書
【補正対象項目名】０００８
【補正方法】変更
【補正の内容】
【０００８】
本技術の第１の側面においては、自身が初期化を実施する要素である複数のレンズ側要素を示すレンズ側初期化実施要素情報が撮像装置に送信される。
【手続補正４】
【補正対象書類名】明細書
【補正対象項目名】０００９
【補正方法】変更
【補正の内容】
【０００９】
本技術の第２の側面の撮像装置は、自身が初期化完了信号を認識する要素であるボディ側要素を示すボディ側初期化認識要素情報を交換レンズに送信し、前記交換レンズから受信したレンズ側初期化実施要素情報に応じて、複数のレンズ側要素に対応する少なくとも１つの前記初期化完了信号を認識するボディ制御部を備える。
【手続補正５】
【補正対象書類名】明細書
【補正対象項目名】００１０
【補正方法】変更
【補正の内容】
【００１０】
本技術の第２の側面においては、自身が初期化完了信号を認識する要素であるボディ側要素を示すボディ側初期化認識要素情報が交換レンズに送信され、前記交換レンズから受信されたレンズ側初期化実施要素情報に応じて、複数のレンズ側要素に対応する少なくとも１つの前記初期化完了信号が認識される。
【手続補正６】
【補正対象書類名】明細書
【補正対象項目名】００１１
【補正方法】変更
【補正の内容】
【００１１】
本技術の第３の側面のカメラシステムは、交換レンズと撮像装置とからなり、前記交換レンズは、前記交換レンズが初期化を実施する要素である複数のレンズ側要素を示すレンズ側初期化実施要素情報を前記撮像装置に送信するレンズ制御部を備え、前記撮像装置は、前記撮像装置が初期化完了信号を認識する要素であるボディ側要素に対応するボディ側初期化認識要素情報を前記交換レンズに送信し、前記交換レンズから受信した前記レンズ側初期化実施要素情報に応じて、前記複数のレンズ側要素に対応する少なくとも１つの前記初期化完了信号を認識するボディ制御部とを備える。
【手続補正７】
【補正対象書類名】明細書
【補正対象項目名】００１２
【補正方法】変更
【補正の内容】
【００１２】
本技術の第３の側面においては、交換レンズと撮像装置とからなり、前記交換レンズでは、前記交換レンズが初期化を実施する要素である複数のレンズ側要素を示すレンズ側初期化実施要素情報が前記撮像装置に送信される。一方、前記撮像装置では、前記撮像装置が初期化完了信号を認識する要素であるボディ側要素に対応するボディ側初期化認識要素情報が前記交換レンズに送信され、前記交換レンズから受信された前記レンズ側初期化実施要素情報に応じて、前記複数のレンズ側要素に対応する少なくとも１つの前記初期化完了信号が認識される。